(57)【要約】      （修正有）【課題】係止ピンを多数併設成形した樹脂成形品から帆立貝係止ピンを切断して得る際に、係止ピンの先部挿入部の先端部の係止孔への挿入を、極めて容易に、円滑に行うことができるようにし、帆立貝養殖作業における係止ピンの装着作業の円滑、容易化、効率化を図り得る帆立貝養殖用の係止ピン及び樹脂成形品を提供する。【解決手段】軸部１１の一端部に帆立貝の係止孔に挿入する先部挿入部１３を有し、先部挿入部の軸方向内方部位に径方向外方に突出し、先部挿入部とは反対方向に傾斜した係止片１４を有し、各部全一体的に樹脂で成形した帆立貝養殖用の係止ピンで、先部挿入部の先端部１３を平頭半円球体に形成した帆立貝養殖用の係止ピン。さらに係止ピンを多数併設成形した樹脂成型品である。【選択図】図３
0003182122.tif 000002
【実用新案登録請求の範囲】
【請求項１】
軸部の一端部に帆立貝の係止孔に挿入する先部挿入部を有し、この先部挿入部の軸方向内方部位に径方向外方に突出し、前記先部挿入部とは反対方向に傾斜した係止片を有し、各部全一体的に樹脂で成形した帆立貝養殖用の係止ピンにおいて、
前記先部挿入部の先端部を平頭半円球体に形成した、
ことを特徴とする帆立貝養殖用の係止ピン。
【請求項２】
ランナ部と、このランナ部から分岐した分岐部と、この分岐部の先に設けられたゲート部と、このゲート部の先に設けられた製品部とからなり、
前記分岐部は先端が半円球状であり、
前記製品部は、軸部と、軸部の一端部に帆立貝の係止孔に挿入する先部挿入部を有し、この先部挿入部の軸方向内方部位に径方向外方に突出し、前記先部挿入部とは反対方向に傾斜した係止片を有し、前記先部挿入部は半円球状であり、
前記分岐部の半円球状先端部と、これと向かい合う前記軸部の半円球状先部挿入部との間を繋ぐ前記ゲート部は、前記半円球状分岐部、前記半円球状先端部よりも小径で、且つ長さが０．１mm〜０．４mmである、
ことを特徴とする樹脂成形品。
【請求項３】
ランナ部と、このランナ部から分岐した分岐部と、この分岐部の先に設けられたゲート部と、このゲート部の先に設けられた製品部とからなり、
前記ランナ部の製品部に向かい合う面は直線状であり、
前記製品部は、前記ランナ部と直交するように設けられた軸部と、軸部の一端部に帆立貝の係止孔に挿入する先部挿入部を有し、この先部挿入部の軸方向内方部位に径方向外方に突出し、前記先部挿入部とは反対方向に傾斜した係止片を有し、前記先部挿入部は半円球状であり、
前記製品部の軸部先部の半円球状先端部は、前記ランナ部の製品部に向かい合う面と重複させてゲート部とし、
前記ゲート部の長さは、前記半円球状先端部の半円球の軸方向長さ１／３〜１／２である、
ことを特徴とする樹脂成形品。
【考案の詳細な説明】
【技術分野】
【０００１】
本考案は、帆立貝の養殖に用いる係止ピンの改良及び改良された係止ピンを得る樹脂成形品に関するものである。
【背景技術】
【０００２】
帆立貝の養殖に際し、係止ピンをロープに通し、係止ピンの先端部に設けた係止部に帆立貝の稚貝の耳片の穿孔部に通し、海中にロープを垂らし、帆立貝を養殖する係止ピンは実用に供されている（例えば、特許文献１（図１２、図１３）参照）。
【先行技術文献】
【特許文献】
【０００３】
【特許文献１】特開２００３−２８９７４３号公報
【０００４】
帆立貝の耳吊式養殖を図１５及び図１６で説明する。
図１６に示すように、樹脂製の係止ピン１０１を、ロープ１００に貫通穿設した保持孔１００ａを介して通し、係止ピン１０１の両端部には、帆立貝（稚貝）１０２、１０２の耳片１０２ａに設けた係止孔を介して吊り下げ掛止し、図１５のようにロープ１００に多数の帆立貝１０２…（…は複数を表す。以下同じ）を掛止し、海中に垂らして養殖を行うものである。
図では、係止ピン１０１の両端部に帆立貝を係止保持する両持式としたが、係止ピンの一端部にのみ帆立貝を係止する片持式でも良い。
【０００５】
係止ピンは、例えば、径が６〜８ｍｍ、長さが１０〜１５ｍのロープに６４ｍｍの係止ピンを１００〜１３０ｍｍピッチで通し、両端部に帆立貝を掛止するものである。
係止ピン１０１は、両持式では、軸部１０１ａ両端部に尖鋭な挿入部１０１ｂ，１０１ｂを有し、これの軸方向内側に軸方向内方且つ径方向外方に突出した係止片１０１ｃ，１０１ｃを有し、軸部１０１ａの中央部には「ハ」形にロープ抜け止め片１０１ｄ，１０１ｄを有する軸状体である。
【０００６】
図１５は耳吊式養殖の説明図で、海底１０３に固定したアンカー１０４，１０４に基端部を固定したアンカーロープ１０５，１０５の先端部（上端部）間に横ロープ１０６を結束し、横ロープ１０６は、長さ方向（横方向）に間隔を開けて複数箇所を浮体１０７…（浮き玉）に結束し、横ロープ１０６を海面１０８下の所定深さに保持する。
横ロープ１０６の両端部及び中間部は、一部を海面１０８に露出した露出浮体１０９…に結束し、横ロープ１０６に複数の前記した帆立貝を係止保持させたロープ１００を縦ロープとして連結し、海中において垂れ下げる。
【０００７】
図１７は、係止ピンを集合して成形した樹脂成形品１１０の従来の一例の正面図で、樹脂成形品１１０はロール状成形品として成形されており、係止ピンの単体を構成する製品部１１１…と、この製品部１１１…の一端部に製品部１１１…と直交する方向に配置された直線帯状の一条のランナ部１１２と、このランナ部１１２と各製品部１１１…とを繋ぐゲート部１１３…とからなり、ゲート部１１３…はランナ部１１２から分岐して設けられており、図では、ランナ部１１２は、製品部１１１…の一端側に一条設けられる。
【０００８】
図１８は、他の従来例で、製品部１１１…の両端部に直交する方向に直線帯状のランナ部１１２，１１２を設け、製品部１１１…の両端部がランナ部１１２，１１２に連結した二条のランナ部を有するタイプである。
【０００９】
図１９は、ランナ部１１２、ゲート部１１３及び製品部１１１が繋がった状態を示す要部の拡大図であり、製品部１１１の軸部１１ａの先部挿入部１１１ｂは先細り形状であり、先部挿入部１１１ｂの軸方向後方には、軸部１１１ａから径方向外方に突出するように係止片１１１ｃが突出し、図では示されていないが、軸部１１１ａの長さ方向中間部にはロープ抜止片が、例えば「ハ」字形に突設されている。
ランナ部１１２と製品部１１１の軸部１１１ａの先部挿入部１１１ｂとの接続部は、原料であるナイロン等の流動性が低いものもあることからゲート部１１３のランナ部１１２側に円柱部１１３ａを設けており、ゲート部１１３をカッター１１５で切断する。
これにより製品部１１１…を樹脂成形品１１０から分離し、個々に切り離された製品部、即ち係止ピン１１４を得る。
これを図２０に示す。
【００１０】
図２１は、図１９の他の例を示す図である。
この例は、ゲート部１１３が直接ランナ部１１２に接続されている例で、カッター１１５で同様に切断し、図２２に示した係止ピン１１４を得る。
以上で得られる係止ピン１１４は、カッター１１５で切断した先部挿入部１１１ｂの先端部１１１ｄが、図２０、図２２に示すように円柱状で角張った形状となる。
【考案の概要】
【考案が解決しようとする課題】
【００１１】
図２３及び図２４は、本考案が解決しようとする課題を示した説明図である。
図２３は、一枚通し耳吊りを示す図で、帆立貝の耳片１１６への係止ピン１１４の刺通係止を示し、帆立貝１１１６の耳片１１６ａにはドリルで係止孔１１６ｂを穿孔し、係止孔１１６ｂに係止ピン１１４の先部挿入部１１１ｂを刺通し、係止ピン先部挿入部に帆立貝耳片を係止保持する。
稚貝の耳片の係止孔は、例えば１．５〜１．９mmであって、極小径である。
【００１２】
ところで、耳片係止ピン１１４の先端部１１１ｄは、上記したように、円柱状で角張った形状であり、上から先端部１１１ｄを挿入する際、先端部１１１ｄと係止孔１１６ｂとが一致しない場合は、係止係止ピン１１４の先端部１１１ｄの係止孔１１６ｂへの矢印ａ方向からの挿入がスムーズになされず、係止ピン１１４を矢印ｂ，ｃのように揺すったり、曲げ方向に変形させ、先端部１１１ｄを係止孔１１６ｂに無理に挿入し、稚貝への係止ピンの挿入作業の円滑を阻害し、作業効率が低下する。
【００１３】
図２４は、二枚通し耳吊りを示す図で、重ね合わされた二枚の耳片１１６ｃ，１１６ｄにドリルで同心に係止孔１１６ｅ，１１６ｆを二枚通しで穿孔するものであるが、穿孔する際、稚貝の殻が外方に膨出した形状であること、表面に凹凸条を有すること等から、穿孔に際し姿勢が変化し、上下の係止孔１１６ｅ，１１６ｆは上下で位置がズレて不一致となることが多い。
稚貝の耳片の係止孔は、前記したのと同様に１．５〜１．９mmであって、極小径であることもあり、上の係止孔１１６ｅに先端部１１１ｄを挿入し、次に、下の係止孔１１６ｆに先端部１１１ｄを挿入する。
【００１４】
この下側の掛止孔１１６ｆへの矢印ａのように上からの挿入に際し、上側の係止孔１１６ｅの位置と下側の係止孔１１６ｆの位置が一致しないため、角張った先端部１１１ｄが係止孔１１６ｆの周辺部に当接し、孔周辺部に当たって挿入することができない。
このため、先部挿入部１１１ｂを含んで係止ピン１１１４を矢印ｂ，ｃのように揺すったり、曲げ方向に変形させ、先端部１１１ｄを無理に係止孔１１６ｆに挿入している。
このため、稚貝への係止ピンの挿入作業の円滑を阻害し、作業効率が低下する。
【００１５】
また、帆立貝の養殖は、図１５、図１６で説明したように、係止ピンをロープの長さ方向に直交する方向に貫通・保持させ、前記したように、係止ピンの両端部に稚貝の耳片を貫通させ、海中に縦向きにロープを吊り下げてなされるものであり、１本のロープに１００本以上の係止ピンを係止し、各係止ピンの先端部に稚貝を係止する。
ところで、ロープ１００に穿孔された保持孔１００ａは、捩った繊維体に穿孔することから内周面に絡んだ繊維材が露出していたりして、係止ピン１１４の先端部１１１ｄが引っ掛かり、ロープの保持孔１００ａへの係止ピン１１４の円滑な挿入が阻害され、上記と同様の不都合が生じている。
これを図２５に示す。
図２６は、ランナ部１１２と係止ピン製品部１１１との間のゲート部が丸棒状であり、ゲート部を切断した状態で図２７に示すように係止ピン１１４の先端部１１ｄの先に丸棒状の残留部１１２ａが残り、残留部１１２ａの先端面１１２ｂは角張った形状をなし、図２８に示すように係止ピン１１４を帆立貝１１６の耳片１１６ａの係止孔１１６ｂに挿入する際、先端面１１２ｂが孔周辺部の当たり、前記と同様の不具合がある。
【００１６】
本考案は、以上の課題を解決すべくなされたものである。
本考案の目的とする処は、係止ピンを多数併設成形した樹脂成形品から帆立貝係止ピンを切断して得る際に、係止ピンの先部挿入部の先端部の係止孔への挿入を、極めて容易に、円滑に行うことができるようにし、従来のこの種の係止ピンに比し、格段の刺し易さを実現し、帆立貝養殖作業における係止ピンの装着作業の円滑、容易化、効率化を図り得る帆立貝養殖用の係止ピン及び樹脂成形品を提供することにある。
【課題を解決するための手段】
【００１７】
上記課題を解決するために、請求項１に係る考案は、軸部の一端部に帆立貝の係止孔に挿入する先部挿入部を有し、この先部挿入部の軸方向内方部位に径方向外方に突出し、先部挿入部とは反対方向に傾斜した係止片を有し、各部全一体的に樹脂で成形した帆立貝養殖用の係止ピンにおいて、先部挿入部の先端部を平頭半円球体に形成したことを特徴とする。
【００１８】
請求項２に係る考案は、樹脂成形品であって、ランナ部と、このランナ部から分岐した分岐部と、この分岐部の先に設けられたゲート部と、このゲート部の先に設けられた製品部とからなり、分岐部は先端が半円球状であり、製品部は、軸部と、軸部の一端部に帆立貝の係止孔に挿入する先部挿入部を有し、この先部挿入部の軸方向内方部位に径方向外方に突出し、先部挿入部とは反対方向に傾斜した係止片を有し、先部挿入部は半円球状であり、分岐部の半円球状先端部と、これと向かい合う軸部の半円球状先部挿入部との間を繋ぐゲート部は、半円球状分岐部、半円球状先端部よりも小径で、且つ長さが０．１mm〜０．３mmであることを特徴とする。
【００１９】
請求項３に係る考案は、樹脂成形品であって、ランナ部と、このランナ部から分岐した分岐部と、この分岐部の先に設けられたゲート部と、このゲート部の先に設けられた製品部とからなり、ランナ部の製品部に向かい合う面は直線状であり、製品部は、ランナ部と直交するように設けられた軸部と、軸部の一端部に帆立貝の係止孔に挿入する先部挿入部を有し、この先部挿入部の軸方向内方部位に径方向外方に突出し、先部挿入部とは反対方向に傾斜した係止片を有し、先部挿入部は半円球状であり、製品部の軸部先部の半円球状先端部は、ランナ部の製品部に向かい合う面と重複させてゲート部とし、ゲート部の長さは、半円球状先端部の半円球の軸方向長さ１／３〜１／２であることを特徴とする。
【考案の効果】
【００２０】
請求項１に係る考案では、軸部の一端部に帆立貝の係止孔に挿入する先部挿入部を有し、この先部挿入部の軸方向内方部位に径方向外方に突出し、先部挿入部とは反対方向に傾斜した係止片を有し、各部全一体的に樹脂で成形した帆立貝養殖用の係止ピンにおいて、先部挿入部の先端部を平頭半円球体に形成した。
係止ピンの先部挿入部の先端は、最先端部のみが平頭状であり、最先端部を除いて半円球状体なので、帆立貝の係止孔に係止ピンの先部挿入部を挿入する際、小さな平頭部周辺の円球状体端面が係止孔縁辺部に接して抵抗が少なく、円滑に、また、調心作用的に係止孔に侵入し、帆立貝係止孔への係止ピンの先部挿入部の挿入を円滑、容易に行うことができ、帆立貝養殖作業における係止ピンの装着作業の円滑、容易化、効率化を図ることができる。
また、ロープの保持孔に係止ピンの先部挿入部を挿入するに際しても同様に挿入を円滑、容易に行うことができる。
従って、帆立貝養殖作業における係止ピンの帆立貝への装着作業の円滑、容易化、効率化、ロープへの係止ピンの挿入保持作業の円滑、容易化、効率化を図ることができる。
【００２１】
請求項２に係る考案では、係止ピンを得る樹脂成形品であって、ランナ部と、このランナ部から分岐した分岐部と、この分岐部の先に設けられたゲート部と、このゲート部の先に設けられた製品部とからなり、分岐部は先端が半円球状であり、製品部は、軸部と、軸部の一端部に帆立貝の係止孔に挿入する先部挿入部を有し、この先部挿入部の軸方向内方部位に径方向外方に突出し、先部挿入部とは反対方向に傾斜した係止片を有し、先部挿入部は円半球状であり、分岐部の半円球状先端部と、これと向かい合う軸部の半円球状先部挿入部との間を繋ぐゲート部は、半円球状分岐部、半円球状先端部よりも小径で、且つ長さが０．１mm〜０．４mmとした。
従って、ランナ部と係止ピンとなる製品部とを繋ぐゲート部は、ランナ側の半円球状分岐部、製品部（係止ピン側）の半円球状先端部よりも小径で、且つ長さが０．１mm〜０．４mmなので、ゲート部を切断した際、或いは折り曲げ加工で切り離した際、ランナ部の残留部は極小となり、係止ピン側の先部挿入部の半円球状先端部は小平頭状となる。
従って、帆立貝の係止孔に係止ピンの先部挿入部を挿入する際に、小さな平頭部周辺の円球状体端面が係止孔縁辺部に接して抵抗少なく、円滑に、また、調心作用的に係止孔に侵入し、帆立貝係止孔への係止ピンの先部挿入部の挿入を円滑、容易化に行うことができ、帆立貝養殖作業における係止ピンの装着作業の円滑、容易化、効率化を図ることができる係止ピンを得ることが可能となる。
【００２２】
請求項３に係る考案では、係止ピンを得る樹脂成形品であって、ランナ部と、このランナ部から分岐した分岐部と、この分岐部の先に設けられたゲート部と、このゲート部の先に設けられて製品部とからなり、ランナ部の製品部に向かい合う面は直線状であり、製品部は、ランナ部と直交するように設けられた軸部と、軸部の一端部に帆立貝の係止孔に挿入する先部挿入部を有し、この先部挿入部の軸方向内方部位に径方向外方に突出し、先部挿入部とは反対方向に傾斜した係止片を有し、先部挿入部は半円球状であり、製品部の軸部先部の半円球状先端部は、ランナ部の製品部に向かい合う面と重複させてゲート部とし、ゲート部の長さは、半円球状先端部の半円球の軸方向長さ１／３〜１／２とした。
従って、係止ピンとなる製品部の軸部先部の半円球状先端部を、ランナ部の製品部に向かい合う面と重複させてゲート部とし、重複したゲート部の長さが半円球状先端部の半円球の軸方向長さ１／３〜１／２なので、ゲート部を切断した際、ランナ部の残留部は発生せず、切り離した係止ピン側の先部挿入部の半円球状先端部は小平頭状となる。
従って、帆立貝の係止孔に係止ピンの先部挿入部を挿入する際に、小さな平頭部周辺の円球状体端面が係止孔縁辺部に接して抵抗少なく、円滑に、また、調心作用的に係止孔に侵入し、帆立貝係止孔への係止ピンの先部挿入部の挿入を円滑、容易化に行うことができ、帆立貝養殖作業における係止ピンの装着作業の円滑、容易化、効率化を図ることができる係止ピンを得ることが可能となる。
【図面の簡単な説明】
【００２３】
【図１】係止ピンを作る樹脂成形品の要部の拡大図である。
【図２】図１の要部の断面図で、カッターで切断する説明図である。
【図３】樹脂成形品から切り離した係止ピンの要部を示す図である。
【図４】図３の係止ピンの先端部の拡大図である。
【図５】図３の斜視図である。
【図６】係止ピンの全体を示す図である。
【図７】帆立貝の係止孔に係止ピンの先端部を挿入する説明図であり、一枚通しの例を示す図である。
【図８】帆立貝の係止孔に係止ピンの先端部を挿入する説明図であり、二枚通しの例を示す図で、挿入直前の図である。
【図９】図８の状態から挿入のため係止孔に侵入した状態を示す図である。
【図１０】係止ピンを作る他の実施例に係る樹脂成形品の要部の拡大図である。
【図１１】図１０の要部の断面図で、カッターで切断する説明図である。
【図１２】樹脂成形品から切り離した係止ピンの要部を示す図である。
【図１３】図１２の斜視図である。
【図１４】帆立貝の係止孔に係止ピンの先端部を挿入する説明図であり、一枚通しの例を示す図である。
【図１５】帆立貝の耳吊式養殖の全体を示す図である。
【図１６】図１５の要部の拡大図である。
【図１７】係止ピンを集合して成形した樹脂成形品の従来の一例の正面図である。
【図１８】図１７の他の例を示す正面図である。
【図１９】ランナ部、ゲート部及び製品部が繋がった状態を示す要部の拡大図である。
【図２０】カッターで切断後の係止ピンの先部挿入部を示す図である。
【図２１】図１８の他の例を示す図である。
【図２２】図２１の例におけるカッターで切断後の係止ピンの先部挿入部を示す図である。
【図２３】本考案が解決しようとする課題を示した説明図で、一枚通し耳吊りを示す図である。
【図２４】本考案が解決しようとする課題を示した説明図で、二枚通し耳吊りを示す図である。
【図２５】本考案が解決しようとする課題を示した説明図で、係止ピンがロープの保持孔に挿入し難い状態を説明した図である。
【図２６】図１８の更なる他の従来例の説明図である。
【図２７】図２６の樹脂成形品から製品部を切り離した係止ピンを示す図である。
【図２８】図２６の従来の係止ピンの本考案が解決しようとする課題を示した説明図である。
【考案を実施するための形態】
【００２４】
本考案の実施の形態を添付図に基づいて以下に説明する。なお、図面は符号の向きに見るものとする。
図１は、係止ピンを作る樹脂成形品の要部の拡大図、図２は、図１の要部の断面図で、カッターで切断する説明図である。
図１は、樹脂成形品１の要部の拡大図における一方のランナ部２、これに直交するように設けられた製品部３を示し、全体としては、図１７、図１８と同様に製品部３は図の上下に多数所定ピッチで併設されている。
尚、樹脂成形品１の素材であるが、係止ピンとして用いた場合、帆立貝を係止して海中に侵浸した際、海中で水分を吸収し、これにより少し柔らかくなり、また、伸ばすと約３倍程度延伸するので、例えば、６６ナイロン等を用いる。
【００２５】
前記した製品部３の軸部３ａの先部３ｂは、先端部３ｃが半円球状である。
一方、ランナ部２の内側面には、製品部３の半円球状の先端部３ｃと向かい合うように、円柱状の分岐基部２ａを内側方に突設されており、分岐基部２ａの先部には、先端部２ｃが半円球状の分岐部２ｂが形成されている。
このランナ部２の分岐部２ｂの半円球状先端部２ｃと、これに向かい合う製品部３の半円球状の先端部３ｃとの間の中央部には、これら半円球状体の中央部間を、ゲート部４で繋いでいる。
【００２６】
前記したゲート部４は、半円球状の製品部３の先端部３ｃの径、ランナ部２の分岐部２ｂの半円球状先端部２ｃの径よりも十分に小径である。
また、ゲート部４の長さ、つまりは、半円球状の製品部３の先端部３ｃと、ランナ部２の分岐部２ｂの半円球状先端部２ｃとの間の間隔は、０．１mm〜０．４mmとする。
図では、先端部３ｃと半円球状先端部２ｃとの間の間隔を理解の便のため大きく表している。
【００２７】
以上のゲート部４は極めて薄いカッター５で図２に示すように切断し、切り離し、図３に示すように係止ピン１０を得る。
尚、カッターによる切断に代え、折り曲げ加工により容易に切り離すことができる。
その理由は、ゲート部は長さが０．１mm〜０．４mm程度の極めて幅狭であり、且つ、小径なので、折り曲げ加工により容易に切り離すことができるのである。
【００２８】
図３は、樹脂成形品１から切り離した係止ピン１０を示し、図４は、先端部の拡大図、図５は、斜視図、図６は係止ピン全体の図、図７は、帆立貝の係止孔に係止ピンの先端部を挿入する説明図である。
【００２９】
樹脂成形品１から切り離した係止ピン１０は、軸部１１の先部に先部挿入部１２を備え、先部挿入部１２の軸方向後部には、径方向外方に突出する係止片１４を備える。
先部挿入部１２の先端部１３は半円球状であり、その先端部１３は、図４に示すように先端部の半円球部の先端部を裁頭した平頭部１３ａが形成されており、鎖線で示した半円弧１３ｂを裁断した状態である。
【００３０】
ところで、上記したカッター５による切断による切断痕、或いは、折り曲げ加工の切り離しによる切り離し痕が平頭部に確認されるが、これらの切断痕、切り離し痕は半円球状体の先端部の中央部の一部に認められ、図５に示したように、全体としては略半円球状体である。
従って、全体として先部挿入部１２の先端部１３は概ね半球状体をなし、最先端部のみが極小の平頭部となる。
【００３１】
図６は、係止ピン１０の全体を示す図で、図では、帆立貝を両端部で吊り下げ係止する両持ち式の係止ピンを示している。
軸部１１の両端には前記した先部挿入部１２，１２を備え、先部挿入部１２，１２の最先端部には平頭部１３ａを有する半円球状先端部１３，１３を有し、先部挿入部１２，１２の軸方向内方には帆立貝係止孔からの抜け止め機能を果たす抜止片１４，１４が径方向外方に突出しており、軸部１１の中間部には「ハ」形にロープ抜止片１５，１５が向かい合うように突設されている。
【００３２】
以上、図６では帆立貝両持ち式の係止ピンを示したが、一端部にのみ先部挿入部及び抜止片を設けた片持ち式においても、同様であり、一端部の先部挿入部に代えて端部に太径等のロープ抜止部を設けた構造でも良い。
【００３３】
図７は、帆立貝５０の耳片５１に穿孔した係止孔５２に係止ピン１０の先部挿入部１２を挿入する状態の説明図であり、図では一枚通しを示す図である。
係止ピン１０の先部挿入部１２の先端部１３は最先端の極小の平頭部１３ａを除いて半円球状であり、平頭部１３ａの周辺部は円球状なので、係止孔５２に先端部１３が侵入する際、球面に倣って調心的に係止孔５２内に侵入し、容易に、且つ円滑に係止孔５２に挿入することができる。
万一、平頭部１３ａが係止孔５２の周辺部に当たったとしても、平頭部１３ａが極小であることから、軸部１１を押すことで平頭部周辺の球面に倣って係止孔５２内に調心的に侵入し、円滑、容易に係止孔５２に係止ピン１０の先部挿入部１２を係止孔５２に挿入することができる。
【００３４】
図８は、帆立貝の係止孔に係止ピンの先端部を挿入する説明図であり、二枚通しの例を示す図で、挿入直前の図であり、図９は、図８の状態から挿入のため係止孔に侵入した状態を示す図である。
前記したように、二枚通し耳吊りでは、重ね合わされた二枚の耳片５３，５４にドリルで同心に係止孔５５，５６を二枚通しで穿孔する際、稚貝の殻が外方に膨出した形状であることや、表面に凹凸条を有すること等から、穿孔に際して姿勢が変化し、上下の係止孔５５，５６は上下で位置がズレて不一致となることが多い。
【００３５】
しかしながら、本考案に係る係止ピン１０では、係止ピン１０の先部挿入部１２の先端部１３は、最先端の極小の平頭部１３ａを除いて半円球状であり、平頭部１３ａの周辺部は円球状なので、上の係止孔５５から押し込んで挿入するだけで、調心的に中央に寄り、また、下の係止孔５６が位置ズレであっても、平頭部１３ａ周辺部の半円球状部が係止孔５６周縁部に接しつつ調心的に中央に寄り、矢印のように上から挿入するだけで、自動調心的に上下の係止孔５５，５６に通すことができる。
この状態を図９で示した。
【００３６】
図１０は、係止ピンを作る他の実施例に係る樹脂成形品の要部の拡大図、図１１は、図１０の要部の断面図で、カッターで切断する説明図である。
図１０は、樹脂成形品２１の要部の拡大図における一方のランナ部２２、これに直交するように設けられた製品部２３を示し、全体としては、上記図１の実施例と同様に製品部２３は図の上下に多数所定ピッチで併設されている。
前記ランナ部２２の製品部２３に向かい合う面２２ａは直線状であり、製品部２３の軸部２３ａの先部２３ｂは、先端部２３ｃが半円球状である。
【００３７】
以上の製品部２３の軸部２３ａの先部２３ｂの半円球状先端部２３ｃは、ランナ部２２の製品部２３に向かい合う面２２ａと重複させてゲート部２４とする。
このゲート部２４は、ランナ部２２の製品部２３に向かい合う面２２ａの端面と、製品部２３の半円球状先端部２３ｃの最先端部とを繋げる部分で、ゲート部２４の長さは、半円球状先端部の半円球の軸方向長さ１／３〜１／２とする。
ランナ部２２と製品部２３の最先端部２３ｃとの間に形成されるゲート部２４を含む構造を図１１で断面として示した。
【００３８】
以上において、図１１に示すようにランナ部２２の向かい合う面２２ａと製品部２３の最先端部である球状先端部２３ｃの境界部をカッター２５で切断し、図１２及び図１３に示した係止ピン３０を得るものである。
樹脂成形品２１から切り離した係止ピン３０は、軸部３１の先部に先部挿入部３２を備え、先部挿入部３２の軸方向後部には、径方向外方に突出する係止片３４を備える。
【００３９】
以上の先部挿入部３２の先端部３３は半円球状であり、その先端部３３は、先端部の半円球部３３の先端部を裁頭した平頭部３３ａが形成されており、先端部３３は、半円球部分の円弧が軸先に対して直角に裁断された状態であり、半円球状先端部３３は、円弧の弧状先端から軸方向長さが１／３〜１／２欠けた状態である。
従って、全体として先部挿入部３２の先端部３３は概ね半球状体をなし、最先端部のみが極小の平頭部となる。
【００４０】
図１４は、帆立貝５０の耳片５１に穿孔した係止孔５２に係止ピン３０の先部挿入部３２を挿入する状態の説明図であり、図では一枚通しを示す図である。
係止ピン３０の先部挿入部３２の先端部３３は最先端の極小の平頭部３３ａを除いて半円球状であり、平頭部３３ａの周辺部は円球状なので、係止孔５２に先端部３３が侵入する際、球面に倣って調心的に係止孔５２内に侵入し、容易に、且つ円滑に係止孔５２に挿入することができる。
【００４１】
万一、平頭部３３ａが係止孔５２の周辺部に当たったとしても、平頭部３３ａが極小であることから、軸部３１を押すことで平頭部周辺の球面に倣って係止孔５２内に調心的に侵入し、円滑、容易に係止孔５２に係止ピン３０の先部挿入部３２を係止孔５２に挿入することができる。
上記と同様にカッター２５による切断等による切断痕等が平頭部に確認されるが、これらの切断痕等は半円球状体の先端部の中央部の一部に認められが、全体としては略半円球状体である。
尚、二枚通しにおいても、上記図８、図９で説明したのと同様である。
【産業上の利用可能性】
【００４２】
本考案は、帆立貝の海中への垂下式の耳吊り養殖に利用することができる
【符号の説明】
【００４３】
１，２１…樹脂成形品、  ２，２２…ランナ部、  ３，２３…製品部、  ４，２４…ゲート部、１０，３０…係止ピン、  １１，３１…軸部、  １２，３２…先部挿入部、  １３，３３…半円球状部、  １３ａ，３３ａ…平頭部。
【図１】
0003182122.tif 000003
【図２】
0003182122.tif 000004
【図３】
0003182122.tif 000005
【図４】
0003182122.tif 000006
【図５】
0003182122.tif 000007
【図６】
0003182122.tif 000008
【図７】
0003182122.tif 000009
【図８】
0003182122.tif 000010
【図９】
0003182122.tif 000011
【図１０】
0003182122.tif 000012
【図１１】
0003182122.tif 000013
【図１２】
0003182122.tif 000014
【図１３】
0003182122.tif 000015
【図１４】
0003182122.tif 000016
【図１５】
0003182122.tif 000017
【図１６】
0003182122.tif 000018
【図１７】
0003182122.tif 000019
【図１８】
0003182122.tif 000020
【図１９】
0003182122.tif 000021
【図２０】
0003182122.tif 000022
【図２１】
0003182122.tif 000023
【図２２】
0003182122.tif 000024
【図２３】
0003182122.tif 000025
【図２４】
0003182122.tif 000026
【図２５】
0003182122.tif 000027
【図２６】
0003182122.tif 000028
【図２７】
0003182122.tif 000029
【図２８】
0003182122.tif 000030